(57)【特許請求の範囲】
【請求項１】
透光性を有する外部容器と、
外部容器に収容され、可撓性および透光性を有し、外部容器の内面と実質的に同一の形状まで膨張する内部容器と、
外部容器と内部容器の間の空間と外部との間を連通する原液通路を連通／遮断する原液用バルブ機構を有し、かつ、外部容器に取り付けられるバルブアッセンブリと、
前記空間に充填される原液と、
内部容器内に充填される加圧剤と、
内部容器内に収納される装飾品とからなる吐出製品。
【請求項２】
前記バルブアッセンブリが、内部容器内と外部との間を連通する加圧剤通路を連通／遮断する加圧剤用バルブ機構を有する、
請求項１記載の吐出製品。
【請求項３】
前記バルブアッセンブリが外部容器に着脱自在に取り付けられている、
請求項１または２記載の吐出製品。
【発明の詳細な説明】
【技術分野】
【０００１】
本発明は装飾品を内部に収納した吐出製品に関する。
【背景技術】
【０００２】
装飾品を内部に収納したエアゾール式ディスペンサーは特許文献１などで知られている。しかし、このようなディスペンサーにおいて、装飾品を収納する空間（特許文献１の中空装飾容器）は、吐出物を収容する空間（特許文献１の貯液槽）とは別に設けられている。つまり、装飾品を収納するためだけの空間を備えているため、ディスペンサー全体の大きさがその分大きくなってしまう。結果、ディスペンサーの大きさの割には内容量が小さくなるという問題がある。
【先行技術文献】
【特許文献】
【０００３】
【特許文献１】特表２００１−５０５１７２号公報
【発明の概要】
【発明が解決しようとする課題】
【０００４】
本発明は、加圧剤が充填される空間に装飾品を収納させることにより容器に美的外観を付与させた新しい吐出製品を提供することを目的としている。
【課題を解決するための手段】
【０００５】
本発明の吐出製品は、透光性を有する外部容器と、外部容器に収容され、可撓性および透光性を有する内部容器と、外部容器と内部容器の間の空間と外部との間を連通する原液通路を連通／遮断する原液用バルブ機構を有し、かつ、外部容器に取り付けられるバルブアッセンブリと、前記空間に充填される原液と、内部容器内に充填される加圧剤と、内部容器内に収納される装飾品とからなることを特徴としている。
本発明の吐出製品において、前記バルブアッセンブリが内部容器内と外部との間を連通する加圧剤通路を連通／遮断する加圧剤用バルブ機構を有するものが好ましい。
本発明の吐出製品において、前記バルブアッセンブリが外部容器に着脱自在に取り付けられているものが好ましい。なお、バルブアッセンブリが外部容器に取り外し可能に取り付けられていてもよい。
【発明の効果】
【０００６】
本発明の吐出製品は、透光性を有する外部容器と、外部容器に収容され、可撓性および透光性を有する内部容器と、外部容器と内部容器の間の空間と外部との間を連通する原液通路を連通／遮断する原液用バルブ機構を有し、かつ、外部容器に取り付けられるバルブアッセンブリと、前記空間に充填される原液と、内部容器内に充填される加圧剤と、内部容器内に収納される装飾品とからなるため、装飾品は外部容器の表面から原液が充填された空間を介して視認され、あるいは、原液の吐出によって徐々に見えるので、容器表面に美的外観を付与できる。また加圧剤を充填する空間は、使用時においてはバルブアッセンブリと連通していないため、装飾品の一部が破損してもバルブを詰まらせたり、吐出製品の性能が落ちたりすることが無い。そして、装飾品を従来の製品の加圧剤が充填される空間に収納しているため、従来公知の吐出製品と同じ大きさで、原液の容量も同じとすることができ、小型化しやすく、生産性が高い。さらに、原液の吐出と共に内部容器（装飾品の収納空間）が膨張するため、装飾品を安定に保管できる。
さらに本発明の吐出製品は、原液の吐出（原液の残量）と共に装飾品の見え方が変わる。特に、原液を空気に対して屈折率の高い液体とすることにより、その効果は大きくなる。つまり、装飾品は、屈折率の異なる空間を介して視認できるが、原液を吐出することにより原液層の厚み（空間の厚み）が減少するため、原液を通る光の距離が減少し、その減少に応じて装飾品の見え方が変化（装飾品そのものの色と大きさに近づく）する。また原液が不透明である場合も、原液の吐出と共に装飾品が徐々に見えるようになる。
【０００７】
本発明の吐出製品において、前記バルブアッセンブリが内部容器内と外部との間を連通する加圧剤通路を連通／遮断する加圧剤用バルブ機構を有する場合、製造時における内部容器内への加圧剤の充填、使用後における加圧剤の排出が簡単にできる。
本発明の吐出製品において、前記バルブアッセンブリが外部容器に着脱自在に取り付けられている場合、加圧剤排出後に装飾品を取り出すことができる。
【図面の簡単な説明】
【０００８】
【図１】本発明の吐出製品の一実施形態を示す側面断面図である。
【図２】図２ａ、ｂ、ｃ、ｅはそれぞれ図１の吐出製品のバルブアッセンブリ、バルブホルダー、キャップおよび押ボタンを示す側面断面図であり、図２ｄはバルブアッセンブリにおける流体経路を示す概略図である。
【図３】図３ａは図１の吐出製品において原液の約半分が吐出した状態図であり、図３ｂは図１の吐出製品において原液の全量が吐出した状態図である。
【図４】図４ａは本発明の吐出製品の他の実施形態を示す側面断面図であり、図４ｂは加圧剤の排出工程を示す状態図である。
【発明を実施するための形態】
【０００９】
図１の吐出製品１０は、外部容器１１と、外部容器に収容される内部容器１２と、外部容器１１に取り付けられるバルブアッセンブリ１３と、外部容器１１と内部容器１２との間の空間Ｓ１に充填される原液１４と、内部容器１２内に充填される加圧剤１５と、内部容器１２内に収納される装飾品１６とからなる。
また吐出製品１０は、バルブアッセンブリ１３のステム２６に押ボタン１７を取り付けて使用する。
【００１０】
外部容器１１は、内部に収容される内部容器１２内の装飾品１６が視認できる程度に透光性を有する耐圧性の容器である。詳しくは、底部を有する円筒状の胴部１１ａと、テーパー状の肩部１１ｂと、円筒状の首部１１ｃとを備えている。
首部１１ｃの外周にはネジ１１ｃ１が形成されている。そのネジ１１ｃ１の下方には、外シール保持部１１ｃ２が形成されている。外シール保持部１１ｃ２の外周面に環状の外シール材１８が保持される。さらに、外シール保持部１１ｃ２の下方には、吐出容器１０の組み立て時に外部容器１１を保持したり、原液１４の充填時に外部容器１１を吊り下げるための環状フランジ１１ｃ３が形成されている。この環状フランジ１１ｃ３の外形は、円状とするだけでなく、外部容器１１の回転を防止するために一部に平面を設けたり、矩形状や多角形状にしてもよい。
【００１１】
内部容器１２は、内部に収容される装飾品１６が視認できる程度に透光性を有し、かつ、内容量を収縮／拡大できる程度に可撓性を有する容器である。なお、内部容器１２は、実質的に外部容器１１の内面と同一の形状まで膨張するものが好ましいが、少なくとも空間Ｓ１を収縮できるものであれば特に限定されるものではない。詳しくは、円筒状の胴部１２ａと、テーパー状の肩部１２ｂと、円筒状の首部１２ｃとを備えており、上端には外部容器１１の上端に配置され、外方に突出したフランジ部１２ｃ１が形成されている。また首部１２ｃの内面は、内シール材１９を半径方向内側に圧縮する内円筒部１２ｃ２となっている。
さらにフランジ部１２ｃ１の下面から首部１２ｃの外面を介して肩部１２ｂの外面に連続して形成された上下に延びる縦通路溝１２Ｐが複数本等間隔で環状に配列されている。この実施形態では、例えば、縦通路溝１２Ｐを４本設けているが、その本数は特に限定されるものではなく、２〜８本が好ましい。この縦通路溝１２Ｐは、外部容器１１と内部容器１２との間の空間Ｓ１に充填される原液１４の通路となる。なお、原液１４の通路となる縦通路溝１２Ｐは、外部容器１１の首部内面または首部および肩部の内面に設けるようにしてもよく、または、外部容器１１の内面および内部容器１２の外面の両方に設けるようにしてもよく、外部容器１１と内部容器１２との間に空間Ｓ１と外気（バルブアッセンブリ１３）とを連通する縦通路が形成されていればよい。
【００１２】
外部容器１１としては、透光性を有する材料であれば特に限定されない。例えば、ポリエチレンテレフタレート、ナイロン等の合成樹脂、ガラスまたは耐圧ガラス等が好ましく挙げられる。また、内部容器１２としても、透光性および可撓性を有する材料であれば特に限定されない。例えば、ポリエチレンテレフタレート、ポリエチレン、ポリプロピレン等の合成樹脂、ゴム等の弾性を有する材料が挙げられる。外部容器１１と内部容器１２の材料の組み合わせは使用に応じて適宜選択することができる。
なお外部容器１１および内部容器１２を合成樹脂から成形する場合、例えば、次のような製造方法が好ましい。つまり、首部１１ｃにネジ１１ｃ１が形成された外部容器用のアウタープリフォームおよび首部１２ｃにフランジ部１２ｃ１、内円筒部１２ｃ２および縦通路溝１２Ｐが形成された内部容器用のインナープリフォームを射出成型などにより個別に成型し、内部容器用のインナープリフォームを外部容器用のアウタープリフォームに挿入し、二層プリフォームを準備する。そして、この二層プリフォームを２軸延伸ブローなどで外部容器１１および内部容器１２の肩部以下の部位を同時に成型する。これにより内部容器１２の外形が、外部容器１１の内面と当接する形状、つまり、外部容器１１の内面と実質的に同一形状となる。この場合、外部容器１１と内部容器１２とで同じ材質の合成樹脂を用いてもよく、異なる材質の合成樹脂を用いてもよい。同じ材質とする場合、厚み等の制御がしやすい。一方、異なる材質とする場合、成形後に内部容器１２を収縮させるとき、内部容器１２の外面が外部容器１１の内面に対して離れやすく、内部容器１２を均等に収縮させやすい。特に、外部容器１１としてポリエチレンテレフタレートを用い、内部容器１２としてポリプロピレンを用いるのが好ましい。
【００１３】
バルブアッセンブリ１３は、外部容器１１および内部容器１２を遮断し、かつ、前記空間Ｓ１と外部との間の原液通路を連通／遮断するバルブ機構２１を備えた蓋体である。このバルブアッセンブリ１３のバルブ機構２１は内部容器内と外部との間の加圧剤通路も連通／遮断できる。つまり、バルブ機構２１は、原液用バルブ機構および加圧剤用バルブ機構の両方を備えたものである。またバルブアッセンブリ１３は、外部容器１１に着脱自在に固定されている。詳しくは、図２ａに示すように、空間Ｓ１と外部との間の通路および内部容器内と外部との間の通路を独立して連通／遮断するバルブ機構２１と、外部容器１１および内部容器１２の開口部に配置されるバルブホルダー２２と、バルブ機構２１をバルブホルダー２２内に固定し、かつ、バルブホルダー２２を外部容器１１に固定するキャップ２３とを備えている。
【００１４】
バルブ機構２１は、２つの独立した第１ステム内通路２６ａないし第２ステム内通路２６ｂおよびそれらの通路とそれぞれ連通する第１ステム孔２６ａ１ないし第２ステム孔２６ｂ１が形成されたステム２６と、その第１ステム孔２６ａ１を閉じる環状の第１ステムラバー２７ａと、その第２ステム孔２６ｂ１を閉じる環状の第２ステムラバー２７ｂと、ステム２６を常時上方に付勢する弾性体２８と、第１ステムラバー２７ａおよび第２ステムラバー２７ｂの間に設けられ、それらを支持する筒状の支持部材２９とからなる。
【００１５】
ステム２６は、下端が閉じられた内筒部３０ａおよび外筒部３０ｂを同軸上に重ねたものであり、内筒部３０ａは、外筒部３０ｂより上方にも下方にも突出している。そして、内筒部３０ａと外筒部３０ｂの間の環状の空間が第１ステム内通路２６ａを構成し、その第１ステム内通路２６ａと同軸の内筒部３０ａ内の円柱状の空間が第２ステム内通路２６ｂを構成する。第１ステム孔２６ａ１は、第１ステム内通路２６ａの下部と連通するように、外筒部３０ｂを半径方向に貫通して形成された孔である。第２ステム孔２６ｂ１は、第１ステム孔２６ａ１より下方（外筒部３０ｂより下方に突出した内筒部３０ａ）に、第２ステム内通路２６ｂの下部と連通するように、内筒部３０ａの下部を半径方向に貫通して形成された孔である。
【００１６】
第１ステムラバー２７ａおよび第２ステムラバー２７ｂは、それぞれその外端が支持部材２９によってバルブホルダー２２内に支持され、内端はそれぞれ第１ステム孔２６ａ１および第２ステム孔２６ｂ１を塞ぐ。そして、ステム２６が下方に移動することにより、第１ステム孔２６ａ１および第２ステム孔２６ｂ１が第１ステムラバー２７ａおよび第２ステムラバー２７ｂの内端から開放される。
【００１７】
弾性体２８は、後述するバルブホルダー２２のハウジング３２に一体に成形されている。詳しくは、ハウジング３２の底部に上方に突出するように形成された複数枚の板バネ３２ｆからなる（図２ｂ参照）。しかし、独立したバネをハウジング３２の底部とバルブ機構２１のステム２６との間に配置させてもよい。
【００１８】
支持部材２９は、バルブホルダー２２のハウジング３２内に挿入され、２つのステムラバーを保持する部材である。詳しくはステム２６を通す円筒体であり、下部にその内外を連通するスリット２９ａが形成されている。
【００１９】
バルブホルダー２２は、図２ｂに示すように、筒状のハウジング３２と、そのハウジング３２の中部側面から外方に延びる環蓋部３３と、そのハウジング３２と同軸にして環蓋部３３の下面から下方に延びる円筒状の側壁部３４とを有する。
ハウジング３２は、側面にハウジングの内外を連通する第１連通孔３２ａを有しており、下端にハウジングの内外を連通する第２連通孔３２ｂを有している。
また、ハウジング３２の上端には、バルブ機構２１の第１ステムラバー２７ａを支持する第１ラバー支持部３２ｃが形成されており、内側面であって第１連通孔３２ａと第２連通孔３２ｂの間にバルブ機構２１の第２ステムラバー２７ｂを支持する第２ラバー支持部３２ｄが形成されている。さらに、ハウジング３２の第１連通孔３２ａの上方外周が、段部３２ｅを介して拡径している。この段部３２ｅにはキャップ２３の係合突起３７ａが係合され、バルブホルダー２２とキャップ２３とが固定される（図２ａ参照）。そして、ハウジング３２の底部には、前述したようにバルブ機構２１の弾性体２８を構成する板バネ３２ｆが複数個形成されている。
ハウジング３２内は、バルブ機構２１の第２ステムラバー２７ｂによって上下２つの空間に分けられる。つまり、ハウジング３２内は、第１ステムラバー２７ａと第２ステムラバー２７ｂの間の空間（上空間）と、第２ステムラバー２７ｂより下方の空間（下空間）とに分けられる（図２ａ参照）。
【００２０】
環蓋部３３は、第１連通孔３２ａと第２連通孔３２ｂの間においてハウジング３２の側面から外方に突出しており、内部容器１２のフランジ部１２ｃ１の上方に配置される。環蓋部３３の上面には、横通路溝３３Ｐが複数本等間隔で放射状に設けられている。この横通路溝３３Ｐは、内部容器１２の縦通路溝１２Ｐと同数とし、その配置を縦通路溝１２Ｐと平面視で重なるように設けられている。
【００２１】
側壁部３４は、環蓋部３３の中部から下方に伸びる筒体であり、内部容器１２の開口部内面に沿って挿入される（図１参照）。側壁部３４の下部側面には、内シール材１９を保持する環状の内シール保持部３４ａが形成されている。この内シール保持部３４ａの底部が内部容器１２の内円筒部１２ｃ２と対向し、内シール材１９を半径方向内側に圧縮する。
【００２２】
キャップ２３は、図２ｃに示すように、バルブホルダー２２のハウジング３２の開口部を閉じる円板状のカバー部３６と、その縁部から下方に延び、ハウジング３２の上部外周に配置される上筒部３７と、その下端から半径方向外側に延びる環状のリング部３８と、その外端から下方に延びる下筒部３９とを有する。
【００２３】
カバー部３６は、ステムラバー２７の上方への飛び出しを防止するものである。カバー部３６の中央には、ステム２６を通す中心孔３６ａが形成されている。
上筒部３７は、バルブホルダー２２のハウジング３２を保持し、ハウジング３２との間に内容物の通路を形成する部位である。上筒部３７の内面には、ハウジング３２の段部３２ｅと係合する係合突起３７ａが形成されている。そして、カバー部３６と係合突起３７ａとでバルブホルダー２２（ハウジング３２）を挟むことにより、バルブ機構２１をバルブホルダー２２（ハウジング３２）に固定し、かつ、バルブホルダー２２を保持する（図２ａ参照）。つまり、キャップ２３とバルブホルダー２２とを一体化できる。なお、上筒部３７の下部内面（係合突起３７ａより下方内面）は、ハウジング３２の外周面と環状の隙間Ｇ１を形成する（図２ａ参照）。この隙間Ｇ１は、ハウジング３２の第１連通孔３２ａと連通しており、原液１４の通路となる。
リング部３８は、バルブホルダー２２が外部容器１１から抜け飛ばないようにバルブホルダー２２の環蓋部３３の上面を覆う部位である（図２ａ参照）。なお、環蓋部３３には横通路溝３３Ｐが形成されているため、リング部３８と環蓋部３３との間に放射状に延びる通路が複数形成される。この通路は、原液１４の通路となり、隙間Ｇ１と連通している。
下筒部３９は、外部容器１１と連結し、バルブホルダー２２との間に原液１４の通路を形成する部位である。下筒部３９の上部内面は、バルブホルダー２２の環蓋部３３の外縁と隙間Ｇ２が空くように設計されている（図２ａ参照）。下筒部３９の中部内面には、外部容器１１のネジ１１ｃ１と係合するネジ３９ａが形成されている。そして、下筒部３９のネジ３９ａの下方の下部内面であって、外部容器１１の外シール保持部１１ｃ２の位置に内円筒部３９ｂが形成されている。この内円筒部３９ｂは、外部容器１１の外シール保持部１１ｃ２との間で外シール材１８を半径内側方向に圧縮する部位である（図１参照）。
【００２４】
このように構成されているバルブアッセンブリ１３は、空間Ｓ１（縦通路溝１２ｄ）と外気とは、図２ｄの太線矢印の経路（原液通路）Ｒ１によって連通する。詳しくは、通路Ｒ１は、キャップ２３の下筒部３９とバルブホルダー２２の間の隙間Ｇ２、キャップ２３のリング部３８とバルブホルダー２２の環蓋部３３との間の横通路溝３３Ｐ、キャップ２３の上筒部３７とハウジング３２の外周面の間の隙間Ｇ１、ハウジング３２の第１連通孔３２ａ、ハウジング３２内の上空間、ステム２６の第１通路２６ａとからなる。一方、内部容器１２内と外部とは、ハウジング３２の第２連通孔３２ｂ、ハウジング３２内の下空間、ステム２６の第２通路２６ｂからなる経路（加圧剤通路）Ｒ２によって連通する。
【００２５】
原液１４は、流体であれば特に限定されない。透明であっても不透明であってもよい。また粘度の低い液体あるいはクリームやゲルなどの高粘度流体であってもよい。原液としては、例えば、芳香剤、消臭剤、除虫剤などの空間噴霧用液体、シャンプー、リンス、シェービングなどの日用剤、制汗剤、収斂剤、保湿剤、日焼け止め等のスキンケア、ヘアクリーム、ヘアオイルなどのヘアケア、消炎鎮痛剤などの薬液、オリーブオイル等の食用品などが挙げられる。なお、原液が透明である場合、原液は筒状の空間Ｓ１に内部に透明な加圧剤層（内部容器内）を有する形で収容されるため、原液の透明度が高く見える。
【００２６】
加圧剤１５としては、窒素、圧縮空気、炭酸ガス、亜酸化窒素などの圧縮ガス、液化石油ガス、ジメチルエーテル、ハイドロフルオロオレフィンなどの液化ガスなどが挙げられる。加圧剤１５は内部容器１２内に充填されるため、空間Ｓ１に充填される原液１４が加圧剤１５の透過を防止できる。特に、加圧剤１５が圧縮ガスである場合、内圧を維持できて好ましい。また加圧剤１５が圧縮ガスである場合、内部容器が劣化しにくく、長期間経過しても透明度を維持できる。
【００２７】
装飾品１６は、特に限定されない。しかし、原液１４の品質を表すもの、製品の使用時期の季節を表すものなど、製品との関係を伝えるものが好ましい。例えば、図１の吐出製品１０の装飾品１６は、原液１４の品質を表すものとしてオリーブの実の付いた枝または擬似枝を使用している。この場合、原液１４としてはオリーブオイルを想定しており、この装飾品１６を吐出製品１０の外部から視認しただけで原液１４の品質を認識することができて好ましい。使用時期の季節を表すものとして、クリスマスツリー、ハローウィンのかぼちゃ、カキ氷などが挙げられる。しかし、原液とは関係なくキャラクターグッズ等を収納してもよい。その場合、廃棄前に取り出せるようにするのが好ましい。
また装飾品１６として弾性変形するものを用いてもよい。この場合、弾性収縮させた状態で内部容器１２に収納することにより、原液１４の吐出によって拡大される収納空間に合わせて装飾品１６も大きくなる。そのため、吐出量に応じた装飾品１６自身の変化を楽しめる。
【００２８】
押ボタン１７は、図２ｅに示すように、下面に形成された筒状のステム係合孔１７ａと、前面に設けられた噴射孔１７ｂと、ステム係合孔１７ａと噴射孔１７ｂとを連通するボタン内通路１７ｃとを備えている。
ステム係合孔１７ａは、ステム２６の外筒部３０ｂを挿入する拡径孔２０ａと、その上方に設けられ、ステム２６の内筒部３０ａを挿入する縮径孔２０ｂとからなる。ボタン内通路１７ｃは、拡径孔２０ａの上部と連通している。そして、縮径孔２０ｂの上端は閉じている。縮径孔２０ｂの高さは、内筒部３０ａの外筒部３０ｂに対する突出量より小さくなっている。そのため、ステム２６がステム係合部１７ａ内に挿入されたとき、内筒部３０ａの上部は縮径孔２０ｂ内に配置されて、内筒部３０ａの下部および外筒部３０ｂの上部は拡径孔２０ａ内に配置される。よって、内筒部３０ａの上端が縮径孔２０ｂの上端で閉止され、外筒部３０ｂの上方はボタン内通路１７ｃと連通し、拡径孔２０ａと内筒部３０ａによって囲まれる環状の空間Ｓ２が形成される（図１参照）。なお、ステム２６の第２ステム内通路２６ｂに栓を設けてもよい。また第２ステム内通路２６ｂに栓を設ける場合、通常の押ボタンを用いてもよい。
【００２９】
この吐出製品１０の製造方法は、初めに外部容器１１および内部容器１２を準備する。次いで、装飾品１６を内部容器１２内に収納する。次いで、バルブアッセンブリ１３を外部容器１１に取り付ける。次いで、バルブアッセンブリ１３のステム２６の第１ステム内通路２６ａを介して原液１４を空間Ｓ１に充填する。装飾品１６が剛性を有するまたは弾性を有する場合は、第２ステム内通路２６ｂから内部容器１２内の空気を排出し、内部容器１２を収縮させてから原液１４を充填することができる。この場合、内部容器１２を装飾品１６の形状に沿って変形させることができるため、外部容器１１の肩部１１ｂと内部容器の肩部１２ｂの間に大きな隙間ができ、空間Ｓ１に原液を充填しやすくなる。そして、バルブアッセンブリ１３のステム２６の第２ステム内通路２６ｂを介して加圧剤１５を内部容器１２内に充填する。最後にステム２６に押ボタン１７を取り付ける。なお、原液１４はバルブアッセンブリ１３を外部容器１１に取り付ける前に充填してもよい。
この吐出製品１０の使用方法は、押ボタン１７を介してバルブアッセンブリ１３のステム２６を押下操作する。これによりステム２６の第１ステム内通路２６ａから原液１４が吐出される。このときステム２６の第２ステム内通路２６ｂは押ボタン１７のステム係合部１７ｂの縮径孔２０ｂによって閉じられているため、加圧剤１５が噴出されることはない。このとき原液１４の吐出量と比例して、内部容器１２が膨張し、原液層の厚み（空間Ｓ１の厚み）が減少する（図３ａ参照）。原液１４を全量吐出した後（図３ｂ参照）、押ボタン１７を取り外してステム２６を押し下げることにより、内部容器１２内の加圧剤１５を外部に放出することができる。さらに、バルブアッセンブリ１３のキャップ２３を外部容器１１から取り外すことにより、それぞれの部品を分け、装飾品１６を取り出すことができ、廃棄に適している。
【００３０】
吐出製品１０は、外部容器１１の表面から原液１４が充填された空間Ｓ１を介して装飾品１６を視認するものであり、吐出製品（エアゾール式またはポンプ式）における新しいデザイン方法を備えたものである。特に、原液１４の色あるいは屈折率を選択することにより、装飾品１６自体を装飾して見せることができ、幅広いデザインを可能とする。また吐出製品１０に下から光を与えることにより、装飾品１６をライトアップさせた美観を与えることができる。
吐出製品１０は、装飾品１６を加圧剤１５が充填される空間Ｓ１に収納しているため、装飾品１６の一部が破損してもバルブを詰まらせたり、吐出製品の性能が落ちたりすることがない。そして、装飾品１６は原液１４と混じることもないため、例えば、原液１４として人体に用いる薬液や食用品を採用するのに好ましい。さらに、従来の吐出製品（エアゾール型またはポンプ型）と同じ大きさで製造することができ、小型化しやすく、生産性が高い。
吐出製品１０は、内部容器１２が原液１４の吐出と共に膨張するため、装飾品１６の収納空間が広くなり、装飾品１６を安定に保管できる。
吐出製品１０は、原液１４の吐出（原液１４の残量）と共に装飾品１６の見え方が変わる（図１、図３ａ、図３ｂ参照）。特に、原液１４を空気に対して屈折率の高い液体とすることにより、その効果は大きくなる。つまり、光は原液１４を通って装飾品１６に至るが、原液１４を吐出することにより原液層の厚み（空間Ｓ１の厚み）が減少するため、原液１４を通る光の距離が減少する。そのため、装飾品１６の見え方（装飾品そのものの色および大きさに近づく）が変化する。なお、原液１４が不透明である場合も、原液１４の吐出と共に装飾品１６が徐々に見えるようになる。この場合、装飾品１６を景品とすることにより、使用者は使用することにより始めて景品が何であるかわかり、吐出製品に娯楽性も付与できる。
【００３１】
図４ａの吐出製品４０は、バルブアッセンブリ４１が加圧剤用バルブ機構を備えていない点で図１の吐出製品１０と異なる。詳しくは、バルブアッセンブリ４１のバルブ機構４２が外部容器１１と内部容器１２の間の空間Ｓ１と外部とのを連通する原液通路のみを連通／遮断するものであり、バルブアッセンブリ４１のバルブホルダー４３が第２連通孔を備えていない点で、図１の吐出製品１０のバルブアッセンブリ１３と異なる。またバルブアッセンブリ４１を外部容器１１に取り付ける際、外シール材１８によるシール構造が内シール材１９によるシール構造より先に形成されるように構成されている（図４ｂ参照）。そして、押ボタン４４は通常の押ボタンが使用される。他の構成は、図１の吐出製品１０と実質的に同じである。
この場合、内部容器１２内への加圧剤１５の充填方法は、装飾品１６を内部容器１２内に収納し、バルブアッセンブリ４１を外部容器１１に取り付ける直前（外シール材１８のシールが形成される直前）にバルブアッセンブリ４１のキャップ２３と外部容器１１との間から充填する。他の組み立て工程は、図１の吐出製品１０と実質的に同じである。
また吐出製品４０の加圧剤１５の排出方法は、外シール材１８のシール構造を維持し、内シール材１９のシール構造が外れるようにバルブアッセンブリ４１のキャップ２３を回転上昇させ、その上でステム２６を下降操作することにより行う（図４ｂ参照）。この場合、空間Ｓ１と内部容器１２内とは連通するため、バルブ機構４２を介して加圧剤１５を排出できる（図４ｂの矢印参照）。この吐出製品４０は、図１の吐出製品１０に比べてバルブ機構を簡素化できるため、生産性に優れている。原液の吐出方法は、図１の吐出製品１０と実質的に同じである。
この吐出製品４０も装飾品１６が加圧剤１５と共に内部容器１２に収納されるため、吐出製品１０と同様の効果が得られる。
【符号の説明】
【００３２】
Ｇ１  隙間
Ｇ２  隙間
Ｓ１  空間
Ｓ２  空間
１０  吐出製品
１１  外部容器
１１ａ  胴部
１１ｂ  肩部
１１ｃ  首部
１１ｃ１  ネジ
１１ｃ２  外シール保持部
１１ｃ３  環状フランジ
１２  内部容器
１２ａ  胴部
１２ｂ  肩部
１２ｃ  首部
１２ｃ１  フランジ部
１２ｃ２  内円筒部
１２Ｐ  縦通路溝
１３  バルブアッセンブリ
１４  原液
１５  加圧剤
１６  装飾品
１７  押ボタン
１７ａ  ステム係合部
１７ｂ  噴射孔
１７ｃ  ボタン内通路
１８  外シール材
１９  内シール材
２０ａ  拡径孔
２０ｂ  縮径孔
２１  バルブ機構
２２  バルブホルダー
２３  キャップ
２６  ステム
２６ａ  第１ステム内通路
２６ａ１  第１ステム孔
２６ｂ  第２ステム内通路
２６ｂ１  第２ステム孔
２７ａ  第１ステムラバー
２７ｂ  第２ステムラバー
２８  弾性体
２９  支持部材
２９ａ  スリット
３０ａ  内筒部
３０ｂ  外筒部
３２  ハウジング
３２ａ  第１連通孔
３２ｂ  第２連通孔
３２ｃ  第１ラバー支持部
３２ｄ  第２レバー支持部
３２ｅ  段部
３２ｆ  板バネ
３３  環蓋部
３３Ｐ  横通路溝
３４  側壁部
３４ａ  内シール保持部
３６  カバー部
３６ａ  中心孔
３７  上筒部
３７ａ  係合突起
３８  リング部
３９  下筒部
３９ａ  ネジ
３９ｂ  内筒部
４０  吐出製品
４１  バルブアッセンブリ
４２  バルブ機構
４３  バルブホルダー
４４  押ボタン
【図１】
0006717575.tif 000002
【図２】
0006717575.tif 000003
【図３】
0006717575.tif 000004
【図４】
0006717575.tif 000005